(57)【要約】  携帯無線端末内に同一の広い周波数帯域で動作する対称な２つのアンテナ素子を配置する構成において、互いのアンテナ素子上で打ち消し合う電流量を低減することで、低結合で高利得な性能を実現する、アンテナ装置及びこれを搭載した携帯無線端末を提供することを目的とする。  第一接続回路１１４は、第一の周波数帯域から第二の周波数帯域における第一アンテナ素子１５０と第二アンテナ素子１５１との間の相互結合インピーダンスをキャンセルするように調節し、アンテナ素子間の結合劣化を軽減する。この構成により、携帯無線端末において、同一の広い周波数帯域で動作する低結合で高効率なアンテナを実現することができる。
2011145324.tif 000002
【特許請求の範囲】
【請求項１】
筐体と、
前記筐体に設けられグランドパターンを有する回路基板と、
前記筐体内に近接して配置され、導電性の略長方形の第一導体板と、前記第一導体板の幅方向の一辺を共有し、前記第一導体板に対して略９０度に配置される略長方形の第二導体板と、前記第二導体板の前記第一導体板と共有する前記一辺に対向する幅方向の他の一辺を共有し、前記第一導体板と対向するように略９０度に配置される略長方形の第三導体板とで構成された、前記回路基板の略コーナーから給電されている第一アンテナ素子と、
前記筐体内に近接して配置され、導電性の略長方形の第四導体板と、前記第四導体板の幅方向の一辺を共有し、前記第四導体板に対して略９０度に配置される略長方形の第五導体板と、前記第五導体板の前記第四導体板と共有する前記一辺に対向する幅方向の他の一辺を共有し、前記第四導体板と対向するように略９０度に配置される略長方形の第六導体板とで構成された、前記回路基板の略コーナーから給電されている第二アンテナ素子と、
前記第一アンテナ素子と前記第二アンテナ素子と電気的に接続する接続回路と、
を具備し、
前記第一アンテナ素子及び前記第二アンテナ素子は、前記回路基板上のグランドパターンと所定の間隔を隔てて互いに近接して配置されるとともに、前記回路基板の端部に配置される第一の給電部及び第二の給電部に電気的に接続され、
前記接続回路は、第一の周波数帯域から第二の周波数帯域における前記第一アンテナ素子と前記第二アンテナ素子との間の相互結合インピーダンスをキャンセルするように調節される
ことを特徴とするアンテナ装置。
【請求項２】
前記第一アンテナ素子が、第一インピーダンス整合回路を介して前記第一給電部と電気的に接続されるとともに、
前記第二アンテナ素子が、第二インピーダンス整合回路を介して前記第二給電部と電気的に接続される
請求項１記載のアンテナ装置。
【請求項３】
前記第一アンテナ素子又は前記第二アンテナ素子のいずれかまたは両方の、一部もしくは全てが、プリント基板上の銅箔パターンで構成された、
請求項１記載のアンテナ装置。
【請求項４】
前記第一アンテナ素子又は前記第二アンテナ素子のいずれかまたは両方が、略円筒形状の導体で構成された、
請求項１記載のアンテナ装置。
【請求項５】
請求項１乃至請求項４のいずれか一項に記載のアンテナ装置を搭載した携帯無線端末。
【請求項６】
請求項１乃至請求項４のいずれか一項に記載のアンテナ装置を搭載したＭＩＭＯ対応携帯無線端末。
【発明の詳細な説明】
【技術分野】
【０００１】
本発明はアンテナ装置及びこれを搭載した携帯無線端末に係り、特に、携帯端末用アレーアンテナに関する技術であって、２つの素子で広帯域化を実現するものである。
【背景技術】
【０００２】
携帯電話などの携帯無線端末は、電話機能や電子メール機能、インターネット等へのアクセス機能だけに留まらず、近距離無線通信機能、無線ＬＡＮ機能、ＧＰＳ機能、ＴＶ視聴機能、ＩＣカード決済機能など、ますます多機能化が進んでいる。加えて、セルラー通信においては、高速かつ大容量の無線通信システムを実現する技術として、送信側、受信側に複数のアンテナを用いて通信を行う空間多重伝送（ＭＩＭＯ：Multi-Input Multi-Output）の搭載が予定されている。これは、複数の送信アンテナから時空間符号化した同じ信号を同帯域で送信することで空間多重を行い、複数の受信アンテナで受信して信号を分離することにより情報を抽出する。これにより、転送速度を向上させ、かつ大容量通信が可能となる。このような多機能化に伴って、携帯無線端末に搭載されるアンテナの数は増加傾向にあり、複数のアンテナ素子間の結合に伴うアンテナ性能の劣化が深刻な課題となっている。【０００３】
一方、携帯無線端末では、デザイン性及び携帯性の観点からさらなる小型化、高集積化が望まれる中、装置の小型化を図りつつ、良好なアンテナ特性を維持するためには、アンテナ素子の配置及びアンテナ素子同士の結合に対して種々の工夫が必要となる。また、給電経路やアンテナ素子数をできる限り少なくし、結合劣化対策を施した高性能のアンテナシステムが求められる。【０００４】
このようなアンテナ素子間の結合の問題に対応する従来の携帯無線機としては、例えば特許文献１及び非特許文献１に開示されているように、アレーアンテナ素子の給電部間を接続するように接続回路を挿入し、アンテナ間の相互結合インピーダンスをキャンセルすることで、アンテナ間の低相関を実現する構成が知られている。
【先行技術文献】
【特許文献】
【０００５】
【特許文献１】米国特許出願公開第２００８／０２５８９９１号明細書（例えば第６Ａ図）
【特許文献２】国際公開第０９／１１３１４２号パンフレット
【非特許文献】
【０００６】
【非特許文献１】“Decoupling and descattering networks for antennas”, IEEE Transactions on Antennas and Propagation, vol.24 Issue 6, Nov. 1976
【発明の概要】
【発明が解決しようとする課題】
【０００７】
しかしながら、特許文献１及び非特許文献１に記載の従来構成では、接続素子６０６は素子間の結合位相の逆位相となる電流分布を作り出すように動作する為、本質的に狭帯域であるという課題があった。このため、現在の通信用セルラーアンテナシステムで必要とするマルチバンドに対応するには、複数のアンテナ素子や接続素子を周波数毎に設けて、それぞれに給電する必要があり、構成が複雑となってしまうという課題があった。【０００８】
また、特許文献２に記載の従来構成では、アンテナ素子５のように箱型構成とすることで広帯域特性を実現していたが、ＭＩＭＯ実現のために必要な低結合化技術に関しては言及されていない。【０００９】
本発明は、ＭＩＭＯ等への対応を目的とした２素子以上のアンテナがアレー状に搭載される携帯無線端末において、上記課題を解決するために、平面を折り返して構成した直方体型のアンテナ素子を接続回路で接続する構成とする。これにより、従来よりも広帯域特性を実現できるアレーアンテナ装置及びこれを搭載した携帯無線端末を提供することを目的とする。
【課題を解決するための手段】
【００１０】
本発明のアンテナ装置は、筐体と、前記筐体に設けられグランドパターンを有する回路基板と、前記筐体内に近接して配置され、導電性の略長方形の第一導体板と、前記第一導体板の幅方向の一辺を共有し、前記第一導体板に対して略９０度に配置される略長方形の第二導体板と、前記第二導体板の前記第一導体板と共有する前記一辺に対向する幅方向の他の一辺を共有し、前記第一導体板と対向するように略９０度に配置される略長方形の第三導体板とで構成された、前記回路基板の略コーナーから給電されている第一アンテナ素子と、前記筐体内に近接して配置され、導電性の略長方形の第四導体板と、前記第四導体板の幅方向の一辺を共有し、前記第四導体板に対して略９０度に配置される略長方形の第五導体板と、前記第五導体板の前記第四導体板と共有する前記一辺に対向する幅方向の他の一辺を共有し、前記第四導体板と対向するように略９０度に配置される略長方形の第六導体板とで構成された、前記回路基板の略コーナーから給電されている第二アンテナ素子と、前記第一アンテナ素子と前記第二アンテナ素子と電気的に接続する接続回路と、を具備し、前記第一アンテナ素子及び前記第二アンテナ素子は、前記回路基板上のグランドパターンと所定の間隔を隔てて互いに近接して配置されるとともに、前記回路基板の端部に配置される第一の給電部及び第二の給電部に電気的に接続され、前記接続回路は、第一の周波数帯域から第二の周波数帯域における前記第一アンテナ素子と前記第二アンテナ素子との間の相互結合インピーダンスをキャンセルするように調節される。【００１１】
この構成により、従来よりも広帯域な周波数特性を持つアレーアンテナを実現することができる。【００１２】
また、本発明のアンテナ装置は、前記第一アンテナ素子が、第一インピーダンス整合回路を介して前記第一給電部と電気的に接続されるとともに、前記第二アンテナ素子が、第二インピーダンス整合回路を介して前記第二給電部と電気的に接続される。【００１３】
この構成により、所望の周波数帯域において、より低結合なアンテナ特性を実現できる。【００１４】
また、本発明のアンテナ装置は、前記第一アンテナ素子又は前記第二アンテナ素子のいずれかまたは両方の、一部もしくは全てが、プリント基板上の銅箔パターンで構成される。【００１５】
この構成により、高精度にアンテナ素子を配置することができ、量産性の良いアレーアンテナを実現できる。【００１６】
また、本発明のアンテナ装置は、前記第一アンテナ素子又は前記第二アンテナ素子のいずれかまたは両方が、略円筒形状の導体で構成される。【００１７】
この構成により、従来よりも広い周波数帯域で動作するアレーアンテナを実現することができる。【００１８】
また、本発明のアンテナ装置を携帯無線端末に搭載する。【００１９】
この構成により、携帯無線端末のアンテナ特性を向上させることができ、小型化を図ることができる。【００２０】
また、本発明のアンテナ装置をＭＩＭＯ対応携帯無線端末に搭載する。【００２１】
この構成により、ＭＩＭＯ対応可能な携帯無線端末のアンテナ特性を向上させることができ、小型化を図ることができる。
【発明の効果】
【００２２】
本発明のアンテナ装置及びこれを搭載した携帯無線端末によれば、広帯域で動作する低結合なアレーアンテナ装置及びこれを搭載した携帯無線端末を実現することができる。
【図面の簡単な説明】
【００２３】
【図１】（ａ）〜（ｃ）は、本発明の実施の形態１における携帯無線端末の構成図
【図２】（ａ）〜（ｅ）は、本発明の実施の形態１における接続回路の具体構成を示す図
【図３】（ａ）〜（ｃ）は、本発明の実施の形態１における携帯無線端末の特性解析モデルを示す図
【図４】（ａ）〜（ｃ）は、本発明の実施の形態１における携帯無線端末の特性図
【図５】（ａ）及び（ｂ）は、本発明の実施の形態１における解析条件（１〜３）を示す図
【図６】（ａ）〜（ｃ）は、本発明の実施の形態１の解析条件（１〜３）における携帯無線端末の特性図
【図７】本発明の実施の形態２における携帯無線端末の構成図
【図８】本発明の実施の形態３における携帯無線端末の構成図
【図９】従来の低結合アレーアンテナの構成図
【発明を実施するための形態】
【００２４】
以下に、本発明の実施の形態について、図面を参照しながら説明する。
【００２５】
（実施の形態１）
図１（ａ）〜（ｃ）は、本発明の実施の形態１における携帯無線端末の構成図である。図１（ａ）は、携帯端末を左側面から見た構成図であり、図１（ｂ）は正面から見た図である。また、図１（ｃ）は右側面から見た構成図である。
【００２６】
図１（ａ）〜（ｃ）に示すように、携帯無線端末１００の内部に配置された回路基板１０１には第一無線回路部１０２が構成されており、第一給電部１０４を通じて、導電性の金属で構成された第一アンテナ素子１５０に高周波信号が供給されている。ここで、第一アンテナ素子１５０は、導電性の略長方形の第一導体板１０６と、第一導体板１０６の幅方向の一辺を共有し、略９０度に配置される略長方形の第二導体板１０７と、第二導体板１０７の第一導体板１０６と共有する一辺に対向する幅方向の他の一辺を共有し、第一導体板１０６と対向するように略９０度に配置される略長方形の第三導体板１０８とで構成される。さらに、回路基板１０１には第二無線回路部１０３が構成されており、第二給電部１０５を通じて、導電性の金属で構成された第二アンテナ素子１５１に高周波信号が供給されている。ここで、第二アンテナ素子１５１は、導電性の略長方形の第四導体板１０９と、第四導体板１０９の幅方向の一辺を共有し、略９０度に配置される略長方形の第五導体板１１０と、第五導体板１１０の第四導体板１０９と共有する一辺に対向する幅方向の他の一辺を共有し、第四導体板１０９と対向するように略９０度に配置される略長方形の第六導体板１１１とで構成される。
【００２７】
この構成により、第一アンテナ素子１５０及び第二アンテナ素子１５１は、各々単体では、広帯域な周波数特性を得ることができる。しかしながら、第一アンテナ素子１５０及び第二アンテナ素子１５１は、携帯無線端末１００の幅方向中央部で素子先端部分が０．０２波長以下の距離で略平行に配置されているため、アンテナ素子間に相互結合インピーダンスが生じ、片方のアンテナ素子に流れた高周波電流が、もう片方のアンテナ素子に誘導電流として流れてしまうことで、結果としてアンテナの放射性能に劣化が生じてしまう。
【００２８】
そこで、第一接続回路１１４を第一アンテナ素子１５０及び第二アンテナ素子１５１の端部付近を接続するように挿入し、アンテナ間の第一の周波数帯域から第二の周波数帯域の相互結合インピーダンスをキャンセルすることで、アンテナ素子間の結合劣化を改善する手段を用いている。
【００２９】
さらに、第一アンテナ素子１５０は第一インピーダンス整合回路１１２を介して第一給電部１０４に接続されるとともに、第二アンテナ素子１５１は第二インピーダンス整合回路１１３を介して第二給電部１０５に接続される。第一インピーダンス整合回路１１２及び第二インピーダンス整合回路１１３を配置することで、第一アンテナ素子１５０のインピーダンス整合と第二アンテナ素子１５１のインピーダンス整合と、アンテナ素子間の相互結合インピーダンスの調整をより細かく行うことができ、より結合劣化を軽減する効果が高まる。
【００３０】
なお、図１（ａ）〜（ｃ）の構成では第一アンテナ素子１５０及び第二アンテナ素子１５１を導電性の金属部品として説明しているが、一部もしくは全てをプリント基板上に構成した銅箔のパターンで構成しても同様な効果が得られる。
【００３１】
図２（ａ）〜（ｅ）は、本発明の実施の形態１における第一接続回路の具体構成を示す図である。
【００３２】
図２（ａ）〜（ｅ）に示すように、第一接続回路には、図２（ａ）に示すコンデンサ、図２（ｂ）に示すインダクタ、図２（ｃ）に示す並列共振回路、図２（ｄ）に示す直列共振回路、及び、図２（ｅ）に示すメアンダパターンでの構成が可能である。さらにこれ以外の構成でも、フィルタや、パターンで構成したコンデンサなど、等価回路がコンデンサやインダクタの組合せで表現できる構成であって、相互結合インピーダンスを調整できるものであればいずれの構成でも良い。さらにこれらを複数組み合わせた構成であっても良い。
【００３３】
なお、図１（ａ）〜（ｃ）の構成では、２つのアンテナ素子の間に相互結合が生じるが、インピーダンス整合回路を配置することで、これらの相互結合インピーダンスを総合的に調整することが可能となる。結果的に、第一の周波数帯域から第二の周波数帯域において、第一給電部１０４と第二給電部１０５の間の通過特性であるＳパラメータＳ１２及びＳ２１を低く抑えることができ、結合劣化を改善できる。
【００３４】
続いて、図１（ａ）〜（ｃ）の具体的な構成について、性能を解析した事例を示す。
【００３５】
図３（ａ）〜（ｃ）は、本発明の実施の形態１における携帯無線端末の特性解析モデルを示す図である。なお、携帯無線端末は左右対称構造のため、アンテナ素子１５１側の回路構成は図示が省略されている。
【００３６】
図３（ａ）に示すように、回路基板１０１は、ガラスエポキシ（ガラエポ）製のプリント基板で構成されるが、ここでは長さ８５ｍｍ、幅４２ｍｍの銅箔にて構成されていることとしてモデル化し、解析を行う。回路基板１０１では、第一給電部１０４及び第二給電部１０５を通じて、導電性の銅板で構成された第一アンテナ素子１５０及び第二アンテナ素子１５１に高周波信号が供給されている。
【００３７】
第一給電部１０４及び第二給電部１０５からは、第一の周波数帯域である１．７４ＧＨｚ及び第二の周波数帯域である２．１５ＧＨｚを含む、１ＧＨｚから３ＧＨｚの高周波信号が供給され、Ｓパラメータである通過特性Ｓ２１及び反射特性Ｓ１１、及び放射効率の解析を行う。
【００３８】
第一アンテナ素子１５０は、同一平面上に長さ６ｍｍ、幅１９ｍｍの第一導体板１０６と、第一導体板１０６の幅方向の一辺を共有するように、第一導体板１０６に対して９０度に配置される、長さ５．７ｍｍ、幅１９ｍｍの第二導体板１０７と、第二導体板１０７の第一導体板１０６と共有する一辺に対向する幅方向の他の一辺を共有し、第一導体板１０６と対向するように配置される、長さ６ｍｍ、幅１９ｍｍの第三導体板１０８とで構成される。一方、第二アンテナ素子１５１は、同一平面上に長さ６ｍｍ、幅１９ｍｍの第四導体板１０９と、第四導体板１０９の幅方向の一辺を共有するように、第四導体板１０９に対して９０度に配置される、長さ５．７ｍｍ、幅１９ｍｍの第五導体板１１０と、第五導体板１１０の第四導体板１０９と共有する一辺に対向する幅方向の他の一辺を共有し、第四導体板１０９と対向するように配置される、長さ６ｍｍ、幅１９ｍｍの第六導体板１１１とで構成される。
【００３９】
第一アンテナ素子１５０及び第二アンテナ素子１５１は、回路基板１０１の端部に配置されている。第一アンテナ素子１５０と第二アンテナ素子１５１の素子が最も近接する平行部分の間隔は２ｍｍであり、１．７４ＧＨｚに対して０．０１波長と極めて近接した間隔で配置されている。第一アンテナ素子１５０と第二アンテナ素子１５１が電気的に近接した距離で略平行に配置されるため、アンテナ素子間の相互結合が生じ、各アンテナ素子に流れた高周波電流が、もう片方のアンテナ素子に誘導電流として流れてしまうことで、結果としてアンテナの放射性能に劣化が生じてしまう。そこで、第一アンテナ素子１５０及び第二アンテナ素子１５１の端部にそれぞれを接続する第一接続回路１１４を挿入し、１．７４ＧＨｚ及び２．１５ＧＨｚにおけるアンテナ間の相互結合インピーダンスをキャンセルすることで、アンテナ素子間の結合劣化を改善する。さらに、第一インピーダンス整合回路１１２及び第二インピーダンス整合回路１１３を各アンテナ素子の根元に配置することで、第一アンテナ素子１５０のインピーダンス整合と第二アンテナ素子１５１のインピーダンス整合と、アンテナ素子間の相互結合インピーダンスの調整をより細かく行うことができ、より結合劣化を軽減する効果を高めている。
【００４０】
図３（ｂ）に示すように、第一接続回路１１４として、１４ｎＨのインダクタが中央に配置されている。
【００４１】
図３（ｃ）に示すように、第一インピーダンス整合回路１１２は第一給電部１０４側から第一アンテナ素子１５０に対して１．０ｐＦ、１．２ｎＨ、４．２ｎＨの順に直列接続となるように配置するとともに、１．０ｐＦと１．２ｎＨの間に回路基板のグランドパターンに対して０．８ｐＦを、１．２ｎＨと４．２ｎＨの間に回路基板のグランドパターンに対して２．１ｎＨを配置し、接地されている。第二インピーダンス整合回路１１３も同様に、第二給電部１０５側から第二アンテナ素子１５１に対して１．０ｐＦ、１．２ｎＨ、４．２ｎＨの順に直列接続となるように配置するとともに、１．０ｐＦと１．２ｎＨの間に回路基板のグランドパターンに対して０．８ｐＦを、１．２ｎＨと４．２ｎＨの間に回路基板のグランドパターンに対して２．１ｎＨを配置し、接地されている。
【００４２】
図４（ａ）〜（ｃ）は、図３（ａ）〜（ｃ）の解析モデルを用いて解析した、本発明の実施の形態１における特性図である。図４（ａ）は、第一給電部１０４から見たＳ１１波形、図４（ｂ）は第一給電部１０４から第二給電部１０５へ向かう通過特性であるＳ２１波形、図４（ｃ）は、第一アンテナ素子１５０の自由空間効率を示したものであり、いずれも横軸は１ＧＨｚから３ＧＨｚまでの周波数特性を示している。
【００４３】
図４（ａ）に示すように１．７４ＧＨｚから２．１５ＧＨｚにおけるＳ１１はほぼ−５ｄＢ以下の低い値となっており、この周波数帯域でインピーダンス整合がとれている様子が分かる。図３（ａ）〜（ｃ）の解析モデルは左右対称であることから、Ｓ２２もほぼ−５ｄＢ以下の低い値となっている。さらに、図４（ｂ）に示すように、１．７４ＧＨｚから２．１５ＧＨｚにおける通過特性であるＳ２１は−５ｄＢ以下の低い値となっており、この周波数帯域でアイソレーションが確保され、結合劣化が軽減されている様子が分かる。このように１．７４ＧＨｚから２．１５ＧＨｚにおいて、インピーダンス整合及びアイソレーションが確保でき、結合劣化が軽減されている様子が分かる。また、図４（ｃ）に示すように、１．７４ＧＨｚから２．１５ＧＨｚの自由空間効率は−２ｄＢ以上であり、高いアンテナ効率が得られていることが分かる。
【００４４】
このように、実施の形態１によれば、第一アンテナ素子１５０及び第二アンテナ素子１５１を動作させて使用する第一の周波数帯域から第二の周波数帯域の広い周波数帯域において結合劣化を改善できる内蔵型アレーアンテナを構成できる。
【００４５】
図５（ａ）は、本発明の実施の形態１において、第一アンテナ素子１５０と第二アンテナ素子１５１の先端部分の間隔をパラメータ“ａ”とした場合の構成図である。さらに、図５（ｂ）は第一アンテナ素子１５０と第二アンテナ素子１５１の先端部分の間隔ａを変化させた場合の解析条件を示す図である。
【００４６】
図６（ａ）〜（ｃ）は、図５（ａ）及び（ｂ）の解析モデル及び解析条件を用いて解析した特性図である。図６（ａ）は、第一給電部１０４から見たＳ１１波形、図６（ｂ）は第一給電部１０４から第二給電部１０５へ向かう通過特性であるＳ２１波形、図６（ｃ）は、第一アンテナ素子１５０の自由空間効率を示したものであり、いずれも横軸は１ＧＨｚから３ＧＨｚまでの周波数特性を示している。ここで、第一アンテナ素子１５０と第二アンテナ素子１５１の先端部分の間隔ａを変化させることで各種特性が変化していることが分かる。このことは、第一アンテナ素子１５０と第二アンテナ素子１５１の先端部分の間で形成される等価容量の存在を示している。この等価容量は第一接続回路１１４と並列な分布定数として動作するため、集中定数である第一接続回路１１４と組み合わせて、Ｑ値の低い広帯域な回路を構成可能である。この等価容量を利用することで、相互結合インピーダンス特性の細かな調整が可能であり、第一アンテナ素子１５０及び第二アンテナ素子１５１を動作させて使用する第一の周波数帯域から第二の周波数帯域の広い周波数帯域において、結合劣化を改善できる内蔵型アレーアンテナを構成できる。
【００４７】
（実施の形態２）
図７は、本発明の実施の形態２における携帯無線端末の構成図である。
【００４８】
図７において、図１（ａ）〜（ｃ）と同じ構成については同じ符号を用い、説明を省略する。
【００４９】
図７に示す携帯無線端末では、第一アンテナ素子１５０及び第二アンテナ素子１５１を接続する第一接続回路１１４の接続位置を、第一の接続位置２０１及び第二の接続位置２０２、第三の接続位置２０３のいずれかに移動させることが可能である。このように構成することで、設計自由度が向上し、また、例えば図７に示すように第二接続回路１１５を第二の接続位置２０２に配置することで、アンテナ素子間の相互結合インピーダンスの調整をより細かく行うことができ、より結合劣化を軽減する効果が高まる。このように、接続回路は複数であってもよく、配置位置についても図示した位置に限るものではない。      
【００５０】
（実施の形態３）
図８は、本発明の実施の形態３における携帯無線端末の構成図である。
【００５１】
図８において、図１（ａ）〜（ｃ）と同じ構成については同じ符号を用い、説明を省略する。
【００５２】
図８に示す携帯無線端末では、第一アンテナ素子１５０の第一インピーダンス整合回路１１２に近い位置と、第二アンテナ素子１５１の第二インピーダンス整合回路１１３に近い位置を接続する回路基板パターン３００が構成されている。このように構成し、パターンの長さや幅を調整することで、アンテナ素子間の相互結合インピーダンスの調整を、回路定数を用いずに行うことができ、結合劣化を軽減する効果が得られる。
【００５３】
本発明を詳細にまた特定の実施態様を参照して説明したが、本発明の精神と範囲を逸脱することなく様々な変更や修正を加えることができることは当業者にとって明らかである。
【００５４】
本出願は、2010年5月17日出願の日本特許出願（特願2010-112851）に基づくものであり、その内容はここに参照として取り込まれる。
【産業上の利用可能性】
【００５５】
本発明のアンテナ装置及びこれを搭載した携帯無線端末は、広い周波数帯域で低結合な特性が得られるアレーアンテナを実現することができるため、携帯電話などの携帯無線端末に有用である。
【符号の説明】
【００５６】
１００    携帯無線端末
１０１    回路基板
１０２    第一無線回路部
１０３    第二無線回路部
１０４    第一給電部
１０５    第二給電部
１０６    第一導体板
１０７    第二導体板
１０８    第三導体板
１０９    第四導体板
１１０    第五導体板
１１１    第六導体板
１１２    第一インピーダンス整合回路
１１３    第二インピーダンス整合回路
１１４    第一接続回路
１１５    第二接続回路
１５０    第一アンテナ素子
１５１    第二アンテナ素子
２０１    第一の接続位置
２０２    第二の接続位置
２０３    第三の接続位置
３００    回路基板パターン
【図１】
2011145324.tif 000003
【図２】
2011145324.tif 000004
【図３】
2011145324.tif 000005
【図４】
2011145324.tif 000006
【図５】
2011145324.tif 000007
【図６】
2011145324.tif 000008
【図７】
2011145324.tif 000009
【図８】
2011145324.tif 000010
【図９】
2011145324.tif 000011
【国際調査報告】
2011145324.tif 000012
2011145324.tif 000013
2011145324.tif 000014
2011145324.tif 000015